(57)【要約】【課題】保冷または保温を随意に選択しえると共にその選択の操作も簡単かつ適確に行えるカップホルダ装置の提供を実現する。【解決手段】カップ類を起立状態に収容可能なホルダ３、温冷蔵庫の冷風ダクトから分岐する保冷ダクト２０、温冷蔵庫の温風ダクトから分岐する保温ダクト２１、保冷ダクト２０からの冷風または保温ダクト２１からの温風をホルダ３へ選択的に供給するバルブ手段、を備えてなり、バルブ手段は、円形に囲う周壁を持つ空間を画成するためのケーシング１１、ケーシング１１の周壁にその円周方向へ所定の間隔で開口する冷風の導入部１３と温風の導入部１４とホルダへの導出部１５、ケーシング１１の周壁に沿って回転可能に収装され冷風の導入部１３または温風の導入部１４またはホルダへの導出部１５を選択的に遮断するシャッタ１２、シャッタを回転させるためのダイヤル式の操作盤１６、を備える【選択図】図９
2005289120.tif 000002
【特許請求の範囲】
【請求項１】
カップ類を起立状態に収容可能なホルダ、温冷蔵庫の冷風ダクトから分岐する保冷ダクト、温冷蔵庫の温風ダクトから分岐する保温ダクト、保冷ダクトからの冷風または保温ダクトからの温風をホルダへ選択的に供給するバルブ手段、を備えてなり、バルブ手段は、円形に囲う周壁を持つ空間を画成するためのケーシング、ケーシングの周壁にその円周方向へ所定の間隔で開口する冷風の導入部と温風の導入部とホルダへの導出部、ケーシングの周壁に沿って回転可能に収装され冷風の導入部または温風の導入部またはホルダへの導出部を選択的に遮断するシャッタ、シャッタを回転させるためのダイヤル式の操作盤、を備えることを特徴とするカップホルダ装置。
【請求項２】
シャッタは、回転軸から１対の仕切が所定の間隔で放射状に張り出すように形成され、ダイヤル式の操作盤の中心に回転軸の一端が結合されることを特徴とする請求項１に記載のカップホルダ装置。
【請求項３】
ケーシングにダイヤル式の操作盤が回転自在に支持され、ダイヤル式の操作盤とケーシングとの間に指針およびこれを合わせる切り替え位置が表示されることを特徴とする請求項１に記載のカップホルダ装置。
【請求項４】
シャッタを所定の角度位置に保持すると共に節度感を操作盤の回転に与える弾性的な位置決め手段、を備えることを特徴とする請求項１に記載のカップホルダ装置。
【請求項５】
シャッタおよび操作盤の最大回転角度を所定範囲に規制するストッパ、を備えることを特徴とする請求項１に記載のカップホルダ装置。
【発明の詳細な説明】
【技術分野】
【０００１】
この発明は、車両に好適なカップホルダ装置に関する。
【背景技術】
【０００２】
車室に設けられるカップホルダとして、空調ユニットからの冷気または暖気を利用してホルダの保持物（カップ類の中の飲料等）を保温または保冷しえるようにしたものが開示される（特許文献１）。
【特許文献１】特開昭２００２−２３５４
【発明の開示】
【発明が解決しようとする課題】
【０００３】
このような従来例においては、ホルダの保持物を保冷する場合、空調ユニットを冷房運転に設定する一方、ホルダの保持物を保温する場合、空調ユニットを暖房運転に設定するのである。つまり、空調ユニットが暖房運転のときにホルダの保持物を冷却することや、空調ユニットが冷房運転のときにホルダの保持物を加熱することができない。
【０００４】
この発明は、このような不具合を踏まえつつ、空調ユニットの運転状態に関係なく、保冷または保温を随意に選択しえると共にその選択の操作も簡単かつ適確に行えるカップホルダ装置の提供を目的とする。
【課題を解決するための手段】
【０００５】
第１の発明は、カップホルダ装置において、カップ類を起立状態に収容可能なホルダ、温冷蔵庫の冷風ダクトから分岐する保冷ダクト、温冷蔵庫の温風ダクトから分岐する保温ダクト、保冷ダクトからの冷風または保温ダクトからの温風をホルダへ選択的に供給するバルブ手段、を備えてなり、バルブ手段は、円形に囲う周壁を持つ空間を画成するためのケーシング、ケーシングの周壁にその円周方向へ所定の間隔で開口する冷風の導入部と温風の導入部とホルダへの導出部、ケーシングの周壁に沿って回転可能に収装され冷風の導入部または温風の導入部またはホルダへの導出部を選択的に遮断するシャッタ、シャッタを回転させるためのダイヤル式の操作盤、を備えることを特徴とする。
【０００６】
第２の発明は、第１の発明において、シャッタは、回転軸から１対の仕切が所定の間隔で放射状に張り出すように形成され、ダイヤル式の操作盤の中心に回転軸の一端が結合されることを特徴とする。
【０００７】
第３の発明は、第１の発明において、ケーシングにダイヤル式の操作盤が回転自在に支持され、ダイヤル式の操作盤とケーシングとの間に指針およびこれを合わせる切り替え位置が表示されることを特徴とする。
【０００８】
第４の発明は、第１の発明において、シャッタを所定の角度位置に保持すると共に節度感を操作盤の回転に与える弾性的な位置決め手段、を備えることを特徴とする。
【０００９】
第５の発明は、第１の発明において、シャッタおよび操作盤の最大回転角度を所定範囲に規制するストッパ、を備えることを特徴とする。
【発明の効果】
【００１０】
第１の発明〜第５の発明においては、操作盤と一体に回転するシャッタにより、冷風の導入部が遮断されると、ケーシングの内部において、温風の導入部とホルダへの導出部との間が開通するため、保温ダクトを流れる温風がホルダへ供給され、ホルダを保温するようになる。同じくシャッタにより、温風の導入部が遮断されると、ケーシングの内部において、冷風の導入部とホルダへの導出部との間が開通するため、保冷ダクトを流れる冷風がホルダへ供給され、ホルダを保冷するようになる。同じくシャッタにより、ホルダへの導出部が遮断されると、ホルダへの温風または冷風の供給が停止される。
【００１１】
保冷ダクトおよび保温ダクトを備えるので、操作盤の回転に伴うシャッタの切り替えにより、空調ユニットが暖房運転のときにホルダを保冷することや、空調ユニットが冷房運転のときにホルダを保温することも可能となる。シャッタは、ケーシングの周壁に沿って回転可能に収装され、周壁に開口する冷風の導入部または温風の導入部またはホルダへの導出部を選択的に遮断する回転式のため、簡単かつ容易な操作により、安定した切り替え特性が得られ、自重で開閉することもない。
【発明を実施するための最良の形態】
【００１２】
図１は、運転席の脇に配置されるコンソールであり、その後部に温冷蔵庫２が装備され、運転席から手が届きやすいレイアウトにカップホルダ３が設定される。図１において、４は各種スイッチ類のコントロールパネルである。
【００１３】
カップホルダ３は棚状に形成され、その内側にカップ類を起立状態に保持する凹部３ａ，３ｂが連接される（図２、参照）。凹部３ａに連接する凹部５（図４、参照）が形成され、その内部に後述のバルブ手段１０が組み付けられる。ホルダ３の凹部３ａ，３ｂおよび組付用の凹部５は、コンソール１の外形を構成する部品に一体成形される。凹部３ａ，３ｂの底面にカップ類の底部を受け入れる浅い係合部６（図２、参照）が設けられる。
【００１４】
バルブ手段１０（図５〜図８、参照）は、円形に囲う周壁を持つ空間を画成するケーシング１１、ケーシング１１の内部に収装されるシャッタ１２、を備える。ケーシング１１の周壁に冷風の導入部１３，温風の導入部１４，ホルダ３への導出部１５がその円周方向へ所定の間隔で開口され、これらはケーシング１１の周壁に沿って回動可能なシャッタ１２により選択的に遮断される。
【００１５】
冷風の導入部１３は、温冷蔵庫２の冷風ダクトから分岐する保冷ダクト２０（図９、参照）に接続され、温風の導入部１４は、温冷蔵庫２の温風ダクトから分岐する保温ダクト２１（図９、参照）に接続される。ホルダ３への導出部１５は、凹部３ａとの連接部（間口）に合致する枠の内側が複数の導風板１５ａによりスリット状の吹出口に形成される（図５、参照）。図示しないが、温冷蔵庫２の冷風ダクトは、空調ユニットのエバポレータ下流に接続され、同じく温風ダクトは、空調ユニットのヒータコア下流に接続されるのである。
【００１６】
ケーシング１１の上部は円形の開口縁１１ａ（図８、参照）に形成され、開口縁１１ａをガイドにダイヤル式の操作盤１６が嵌め付けられ、その嵌め込み量を規制するフランジ１１ｂ（図８、参照）が形成される。シャッタ１２は、回転軸１２ａから１対の仕切１７ａ，１７ｂが所定の間隔で放射状に張り出すように形成され、仕切１７ａの先端にケーシング１１の周壁と摺接するシール（図示せず）が取り付けられる（図７，図８、参照）。
【００１７】
ダイヤル式の操作盤１６の中心に回転軸１２ａの一端が結合される。回転軸１２ｂの他端側に鍔部１８が形成され、鍔部１８よりもさらに他端側はケーシング１１の底壁および凹部５の底壁から下方へ突出される（図３，図４、参照）。この突出端にバネ受を形成するビス（図示せず）が螺合され、ビスと凹部５の底壁との間にスプリングが介装される。このスプリングにより、回転軸１２ａは鍔部１８がケーシング１１の底面に突き当たるように付勢される。図５，図６において、１９はケーシング１１の下面に突設される組付用の脚部であり、凹部５の底壁に開口する係止穴（図示せず）へ嵌め込むことにより、ケーシング１１がコンソール１に固定されるのである。
【００１８】
鍔部１８とケーシング１１との間にシャッタ１２を所定の回転角度に保持すると共に節度感を操作盤１６の回転に与える弾性的な位置決め手段が設定される。位置決め手段は、鍔部１８の外周が凹凸１８ａ（図８、参照）に形成され、ケーシング１１に板バネ（図示せず）の基端が固定される。板バネの先端側は、鍔部１８の凹部に係合する形状に曲げられ、鍔部１８の回転に伴って凸部を乗り越えられるように構成される。
【００１９】
ダイヤル式の操作盤１６に指針が表示され、ケーシング１１のフランジ１１ｂに「保温」，「保冷」，「停止」の位置が表示される。操作盤１６の指針をフランジ１１ｂの「保温」に合わせると、シャッタ１２により冷風の導入部１３が遮断されると、ケーシング１１の内部において、温風の導入部１４とホルダ３への導出部１５との間が開通するため、保温ダクト２１を流れる温風がホルダ３へ供給され、ホルダ３を保温するようになる。同じく「保冷」に合わせると、シャッタ１２により温風の導入部１４が遮断されると、ケーシング１１の内部において、冷風の導入部１３とホルダ３への導出部１５との間が開通するため、保冷ダクト２０を流れる冷風がホルダ３へ供給され、ホルダ３を保冷するようになる。同じく「停止」に合わせると、シャッタ１２によりホルダ３への導出部１５が遮断されると、ホルダ３への温風または冷風の供給が停止される。
【００２０】
図９においては、「保温」，「保冷」，「停止」の各間隔（角度）が同等でなく、操作盤１６を同一方向へ回して指針を合わせてゆくと、シャッタ１２の遮断位置が正しく合致しなくなるので、シャッタ１２（および操作盤１６）の回転角度を所定範囲に規制するストッパ２４（図７、参照）がケーシング１１の底面に突設されるのである。
【００２１】
このような構成によると、保冷ダクト２０および保温ダクト２１を備えるので、操作盤１６の回転に伴うシャッタ１２の切り替えにより、空調ユニットが暖房運転のときにホルダ３を保冷することや、空調ユニットが冷房運転のときにホルダ３を保温することも可能となる。シャッタ１２は、ケーシング１１に収装され、冷風の導入部１３または温風の導入部１４またはホルダ３への導出部１５を選択的に遮断する回転式のため、簡単かつ容易な操作により、安定した切り替え特性が得られ、上下のスライド式に較べると、自重で開閉するようなこともない。
【図面の簡単な説明】
【００２２】
【図１】コンソールの全体的な斜視図である。
【図２】カップホルダの斜視図である。
【図３】Ａ−Ａ断面図である。
【図４】Ｂ−Ｂ断面図である。
【図５】バルブ手段の外観図である。
【図６】バルブ手段の外観図である。
【図７】ケーシングの内部を表す斜視図である。
【図８】ケースシング，ダイヤル式の操作盤，シャッタ，の各斜視図である。
【図９】シャッタの作動説明図である。
【符号の説明】
【００２３】
１  コンソール
２  温冷蔵庫
３  カップホルダ
５  組付用の凹部
１０  バルブ手段
１１  ケーシング
１２  シャッタ
１３  冷風の導入部
１４  温風の導入部
１５  ホルダへの導出部
１６  ダイヤル式の操作盤
１８  鍔
１８ａ  凹凸
２０  ストッパ
【図１】
2005289120.tif 000003
【図２】
2005289120.tif 000004
【図３】
2005289120.tif 000005
【図４】
2005289120.tif 000006
【図５】
2005289120.tif 000007
【図６】
2005289120.tif 000008
【図７】
2005289120.tif 000009
【図８】
2005289120.tif 000010
【図９】
2005289120.tif 000011